(57)【要約】電話機能およびカメラ機能を備えた折り畳み式携帯電子機器（１）であって、少なくとも、第１の筺体部分（２）と、第２の筺体部分（３）と、筺体部分を異なった操作位置に折り畳むように構成されたヒンジ手段（５）と、該機器に組み込まれたカメラ手段（７）と、を備えた折り畳み式携帯電子機器（１）。機器（１）は、また、第２の筺体部分の正面壁（３ａ）に設けられ、かつ、開いた状態および閉じた位置の両操作位置において情報を表示するように構成された情報表示用のディスプレー手段（４）をも具備している。カメラ手段（７）は、機器が閉じた操作位置（１）にある場合は、ディスプレー手段（４）に関して反対の方向に向けられ、機器（１）が開いた操作位置にある場合は、ディスプレー手段（４）に関して同じ方向に向けられる。１つの実施例においては、ディスプレー手段（４）に表示される情報の主要方位（１０）も変更し得るように構成される。
2005523607.tif 000002
【特許請求の範囲】
【請求項１】
電話機能およびカメラ機能を備えた折り畳み式携帯電子機器（１）であって、少なくとも、
−  正面壁（２ａ）および背面壁（２ｂ）を備えた第１の筺体部分（２）と、
−  同様に正面壁（３ａ）および背面壁（３ｂ）を備えた第２の筺体部分（３）と、
−  これらの筺体部分を相互に接合し、かつ、これらの筺体部分を異なった操作位置に折り畳むように構成されたヒンジ手段（５）と、
−  背面壁（２ｂ、３ｂ）は互いに向き合った位置関係となり、正面壁（２ａ、３ａ）は実質的に反対方向を向いている、閉じた操作位置と、
−  正面壁（２ａ、３ａ）は互いに隣り合った位置関係となり、かつ、実質的に同じ方向を向いている、開いた操作位置と、
−  カメラ手段（７）と、を備えた折り畳み式携帯電子機器（１）において、
該機器（１）が、
−  第１の筺体部分の正面壁（２ａ）に設けられたキーボード手段（８）と、
−  第２の筺体部分の正面壁（３ａ）に設けられ、かつ、開いた状態と閉じた位置の両操作位置において情報を表示するように構成された情報表示用のディスプレー手段（４）、
をさらに具備していることを特徴とする電話機能およびカメラ機能を備えた折り畳み式携帯電子機器（１）。
【請求項２】
カメラ手段（７）が、機器（１）が前記閉じた操作位置にある場合は、ディスプレー手段（４）に対して実質的に反対の方向に向けられているかあるいは向けられることが可能であり、機器（１）が前記開いた操作位置にある場合は、ディスプレー手段（４）に対して実質的に同じ方向に向けられているかあるいは向けられることが可能であることを特徴とする、請求項１記載の折り畳み式電子機器。
【請求項３】
カメラ手段（７）は固定的に方向付けされることを特徴とする、請求項１または２記載の折り畳み式電子機器。
【請求項４】
ディスプレー手段（４）に表示される情報で、読むことまたは見ることのできる情報の主要方位（１０）が、変更され得るように構成されており、その変更方式は、閉じた操作位置においてディスプレー手段（４）が使用者の方に向けられている場合、ならびに、開いた操作位置においてキーボード手段（８）およびディスプレー手段（４）が共に使用者の方に向けられている場合において、少なくとも、閉じた操作位置の主要方位が開いた操作位置の主要方位からそれているものとなることを特徴とする、請求項１−３のいずれか１項に記載の折り畳み式電子機器。
【請求項５】
機器（１）が前記開いた操作位置から前記閉じた操作位置に変位した場合、あるいはその逆の場合に、ディスプレー手段の主要方位（１０）を自動的に変更するように機器（１）が構成されていることを特徴とする、請求項４記載の折り畳み式電子機器。
【請求項６】
前記開いた操作位置においては、ディスプレー手段の主要方位（１０）がキーボード手段の主要方位（１２）と合致していることを特徴とする、請求項４または５記載の折り畳み式電子機器。
【請求項７】
前記閉じた操作位置において、機器（１）を垂直の回転軸（１１）の周りに回転して異なった操作位置にすることができるように、ディスプレー手段の主要方位（１０）は、キーボード手段の主要方位（１２）と対応していることを特徴とする、請求項４−６のいずれか１項に記載の折り畳み式電子機器。
【請求項８】
前記閉じた操作位置においては、ヒンジ手段（５）が機器（１）の上端に配置されていることを特徴とする、請求項４−７のいずれか１項に記載の折り畳み式電子機器。
【請求項９】
ディスプレー手段（４）の前記開いた操作位置の主要方位（１０）が、閉じた操作位置の主要方位（１０）から１８０°それていることを特徴とする、請求項４−８のいずれか１項に記載の折り畳み式電子機器。
【請求項１０】
前記閉じた操作位置において、ヒンジ手段（５）が機器（１）の左または右の側面壁に配置されていることを特徴とする、請求項４−７のいずれか１項に記載の折り畳み式電子機器。
【請求項１１】
ディスプレー手段（４）の開いた操作位置の主要方位（１０）が、閉じた操作位置の主要方位（１０）から９０°それていることを特徴とする、請求項４−７または１０のいずれか１項に記載の折り畳み式電子機器。
【請求項１２】
カメラ手段（７）が、該ディスプレー手段（４）に対して実質的に反対の方向に固定的に向けられていることを特徴とする、請求項１−１１のいずれか１項に記載の折り畳み式電子機器。
【請求項１３】
方向付けのために、上記のカメラ手段（７）は、ヒンジ手段の回転軸（６）に平行な回転軸の周りに回転することができることを特徴とする、請求項１−１１のいずれか１項に記載の折り畳み式電子機器。
【請求項１４】
カメラ手段（７）がヒンジ手段（５）に組み込まれていることを特徴とする、請求項１−１３のいずれか１項に記載の折り畳み式電子機器。
【請求項１５】
前記閉じた操作位置において、カメラ手段（７）は機器（１）の上端に配置されることを特徴とする、請求項１−１４のいずれか１項に記載の折り畳み式電子機器。
【請求項１６】
キーボード手段（８）が、携帯電話およびカメラ手段の機能を制御する目的を有する少なくとも１個のキーボードを備えていることを特徴とする、請求項１−１５のいずれか１項に記載の折り畳み式電子機器。
【請求項１７】
カメラ手段（７）を使用する場合でかつ閉じた操作位置の場合に、機器（１）が、ディスプレー手段（４）は使用者の方を向きかつカメラ手段（７）は使用者とは逆の方を向く形で、手の中に保持されるように構成されており、かつまた、ディスプレー手段（４）は、カメラ手段（７）によって撮像される連続画像または単一画像あるいはこれらの両者を表示するように構成されていることを特徴とする、請求項１−１６のいずれか１項に記載の折り畳み式電子機器。
【請求項１８】
カメラ手段（７）を使用する場合でかつ開いた操作位置の場合に、機器（１）が、ディスプレー手段（４）およびカメラ手段（７）が使用者の方を向く形で、手の中に保持されるように構成されていることを特徴とする、請求項１−１７のいずれか１項に記載の折り畳み式電子機器。
【請求項１９】
ヒンジ手段（５）がセンサー手段をさらに備えており、該センサー手段は、機器（１）が閉じた操作位置と開いた操作位置のいずれの状態にあるかを決定し、操作位置に関する情報を該機器に送るようになっていることを特徴とする、請求項１−１８のいずれか１項に記載の折り畳み式電子機器。
【請求項２０】
電話機能およびカメラ機能を備えた折り畳み式携帯電子機器（１）であって、少なくとも、
−  正面壁（２ａ）および背面壁（２ｂ）を備えた第１の筺体部分（２）と、
−  同様に正面壁（３ａ）および背面壁（３ｂ）を備えた第２の筺体部分（３）と、
−  これらの筺体部分を相互に接合し、かつ、これらの筺体部分を異なった操作位置に折り畳むように構成されたヒンジ手段（５）と、
−  背面壁（２ｂ、３ｂ）は互いに向き合った位置関係となり、正面壁（２ａ、３ａ）は実質的に反対方向を向いている、閉じた操作位置と、
−  正面壁（２ａ、３ａ）は互いに隣り合った位置関係となり、かつ、実質的に同じ方向を向いている、開いた操作位置と、
−  カメラ手段（７）と、を備えた折り畳み式携帯電子機器（１）における方法において、
該機器（１）が、
−  第１の筺体部分の正面壁（２ａ）に設けられたキーボード手段（８）と、
−  第２の筺体部分の正面壁（３ａ）に設けられ、かつ、開いた状態と閉じた位置の両操作位置において情報を表示するように構成された情報表示用のディスプレー手段（４）、
を具備しており、さらに、該方法においては、
−  ディスプレー手段（４）に表示される情報で、読み取りまたは観察できる情報の主要方位（１０）が変更されるようになっており、その変更方式は、閉じた操作位置においてディスプレー手段（４）が使用者の方に向くように意図されている場合、ならびに、開いた操作位置においてキーボード手段（８）およびディスプレー手段（４）が共に使用者の方に向くように意図されている場合において、閉じた操作位置の主要方位が開いた操作位置の主要方位とは異なったものとなることを特徴とする、電話機能およびカメラ機能を備えた折り畳み式携帯電子機器（１）における方法。
【請求項２１】
ヒンジ手段（５）がセンサー手段をさらに備えており、さらに、該方法においては、機器（１）が閉じた操作位置と開いた操作位置のいずれの状態にあるかを決定し、主要方位（１０）を変更するべく操作位置に関する情報を該機器に送るために、該センサー手段が用いられることを特徴とする、請求項２０記載の方法。
【請求項２２】
開いた操作位置の主要方位（１０）が、閉じた操作位置の主要方位（１０）から１８０°または９０°それているように選定されることを特徴とする、請求項２０または２１記載の方法。
【発明の詳細な説明】
【技術分野】
【０００１】
本発明は、請求項１の前文に基づく、電話機能およびカメラ機能を備えた折り畳み式携帯電子機器に関するものであり、さらに、電話機能およびカメラ機能を備えた折り畳み式携帯電子機器における、請求項２０の前文に基づく方法をも対象としている。
【背景技術】
【０００２】
従来技術に基づいて、移動ステーション機能およびカメラ機能が電子機器と結合されてきた。電話は特に携帯式のセルラーネットワーク電話であり、カメラ機能は、転送用の単一画像を撮像する機能およびその受信を含み、さらにビデオ通話用のライブビデオ画像の転送および受信をも含むことができる。機器は、通常、デジタル画像を保存するために必要なメモリ手段を具備している。
【０００３】
１つの公知の携帯機器が米国特許第６，０６９，６４８号に開示されている。この機器は２個の筺体部分から構成され、その内側面にディスプレー手段およびキーボード手段が配置されている。筺体部分はヒンジによって連結され、そのヒンジの中に、所要の方向に向けることができるカメラが組み込まれている。機器の内壁（すなわち正面壁）は、閉じた位置では互いに向き合うように配置されるが、その位置では、機器およびディスプレーを使用することはできない。
【０００４】
しかし、従来技術の機器は、機器を開いた位置ではカメラの使用が難しいので、使うのに不便である。また、使用者は、常に、カメラを所要の方向に確実にかつ正確に向けなければならない。従来技術の機器においては、写真撮影の際には、カメラを手動で使用者とは逆の方向に向けなければならないし、例えばビデオ通話の場合には使用者の方に向けなければならない。このように、機器の操作モードを変更する作業が緩慢に行われることになる。
【０００５】
異なった操作モードにおける機器の使用は、一般的には、ディスプレー上に表示されるメニューによって制御され、機器は、メニューによって、例えば電話モードあるいはカメラモードで動作する。正にこのために、機器を正しい位置に開いて、スイッチを入れ、機器のモードを確認して、操作モードを変える選択を行わなければならなくなり、その結果、機器の実際の使用は遅滞する。
【発明の開示】
【課題を解決するための手段】
【０００６】
本発明の目的は、使用に簡便で、上記の問題点を容易になくすことができる折り畳み式の電子機器を提供することにある。新規の機器の１つの目的は、機器の実際の使用を簡易化すると共に速やかにすること、および基本モードの変更操作を一層便利なものにすることにあり、機器のサイズを小型化し、カメラ機能が使用状態にある場合に取り扱い易くすることを特別な狙いとしている。
【０００７】
特別な狙いの１つは、予め設定した同一ディスプレーを、異なった状況において、すなわち、カメラ機能および電話機能に関する状況においても、必要であれば同様に他の機能に関する状況においても利用することである。個別の分離ディスプレーを使用する必要がないことは有利である。本発明によって、１個のディスプレーを閉じた位置および開いた状態の両操作位置において使用することが可能となるが、それは、ディスプレーおよび機器の他の構成要素を適正に配置すること、ならびに情報の方位を変更することによって達成される。
【０００８】
本発明の好ましい実施の形態の目的の１つは、特に、カメラをそれぞれの使用状況にとって適切な方向に的確に向けることにある。機器の操作位置は、利用時に直感的にかつ明瞭に認識され、使用中の操作モードを機器の操作位置のみに基づいて確認することは容易である。このため、機器のカメラ機能およびその操作位置ならびに形状は従来のカメラに類似し、機器の電話機能および操作位置は従来の折り畳み式携帯電話に似ている。
【０００９】
本発明の好ましい実施例のさらなる１つの目的は、ディスプレー上に表示される情報の位置および方位を異なった操作位置に対して変更できるような方式で機器の使用をさらに簡易化することにある。この場合の利点は、機器をある操作位置からもう一方の操作位置に切り替えることがさらに容易になるという点である。つまり、機器がディスプレーの固定された方位に結び付けられていないという点である。本発明のある実施例においては、変更が自動的に行われるような方法で使い方がさらに簡易化されており、使用者は、ただ機器の操作位置を変えることに注意するだけでよい。
【００１０】
方位変更の操作を行うと、新しい操作位置の使用が可能になる。方位変更操作を行うことによって、第一義的には、カメラを固定方向に向けることが可能になるが、それだけではなく、さまざまな状況の必要性に応じて、上記の新しい操作位置が可能となり、機器を容易に使用できるようになる。
【００１１】
電話機能およびカメラ機能を備えた、本発明に基づく折り畳み式携帯電子機器は、請求項１に開示されている。電話機能およびカメラ機能を備えた、本発明に基づく折り畳み式携帯電子機器における本発明に基づく方法は、請求項２０に開示されている。また、本発明のその他の好ましい実施形態は従属請求項に開示されている。
【００１２】
本発明の中心原理は、キーボードおよびディスプレーを外側の壁面（すなわち正面壁）に配置する点にある。ただし、機器は内側の壁面（すなわち背面壁）が互いに向き合う位置となるように折り畳むことができるものとするが、その場合に、機器は可能な限り小型でスリムとなり、かつカメラ用途によく適したものになる。電話使用の場合は、外側の壁面が使用者に向いて、キーボードおよびディスプレーがそれぞれの上面に置かれている、開いた状態の折り畳み式電話と同様の形態となる。
【００１３】
自動化は、機器の使用を速やかにかつ簡易にする。その場合、機器の異なった操作位置が所望の操作モードの指示に用いられる。１つの重要な因子は、カメラ手段を容易に正確な方向に向け、同時に、カメラ用途および電話用途の両方に適するようにカメラ手段を配置することである。
【００１４】
以下、添付図面を参照して、幾つかの有利な実施形態を例として用いて、本発明をさらに詳細に説明する。
【発明を実施するための最良の形態】
【００１５】
図１−４を参照すると、電子機器１は、正面壁２ａおよび背面壁２ｂを有する第１の筺体部分２と、同様に正面壁３ａおよび背面壁３ｂを有する第２の筺体部分３とを備えている。機器１は、また、筺体部分２、３間に取り付けられたヒンジ手段５を備えているが、このヒンジ手段５が、筺体部分を連結し、かつ、図１、２の閉じた位置において、筺体部分２、３の背面壁２ｂ、３ｂが互いに向き合う位置に置かれ、望ましくは相互に支持されるように筺体部分を折り畳む機能を果たす。逆に、図３、４の開いた状態においては、筺体部分２、３の正面壁２ａ、３ａは、実質的に同じ方向を向いており、筺体部分２、３は、同時に、例えば互いに隣り合う位置に置かれることになる。図１および２は、機器１の閉じた操作位置を示しているが、この状態において、機器１はカメラモードにあり、第１の筺体部分３の外側の壁面３ａのディスプレー手段４を、カメラ手段７によって撮像される単一画像またはカメラ手段７によってリアルタイムに映し出される画像の表示に用いることができる。これらの場合は、ディスプレー４は、カメラ７の方向付けを簡易化するカメラのファインダーの役割を果たしている。
【００１６】
閉じた操作位置においては、カメラはディスプレー４に関して実質的に反対の方向を向いており、キーボード８と実質的に同じ方向を向いている。開いた操作位置においては、カメラ７はディスプレー４およびキーボード８に関して実質的に同方向になる。ディスプレー４に関連する正面壁には、通例、１個以上のキー、押しボタンまたは他の手動操作手段４ａ、４ｂが設けられており、それによって、ディスプレー４の機能を制御することやディスプレー４に表示されるメニューによって選択操作することが可能になる。キー４ａ、４ｂは機器１の他の機能の制御にも用いることができる。
【００１７】
機器１の異なったいくつかの実施の形態については、カメラ７およびその方位を、カメラ機能または電話機能のいずれかを勘案して、望ましい方向に配置するが、カメラ７は、好ましくは、これら両機能が可能であるような方向に向けられるべきである。
【００１８】
機器１のキーボード手段８は、第２の筺体部分２の正面壁２ａに設けられる。キーボード手段８としてはタッチパネルを用いることも可能である。必要な場合は、間違った押ボタン操作を防ぐために、キーボード手段８を少なくとも部分的に別個のカバーで保護することができる。閉じた操作位置においては、筺体部分２、３を互いに向き合う位置に保持することができるので、機器１は小型になり、使用に便利である。機器１を手のひらに持つと、ディスプレー４は使用者の方を向き、カメラ７は使用者から離れた方向を向いている。キーボード８は、通常、携帯電話用の操作キーを備えており、さらに、ディスプレー上に表示されるメニューを操作するために用いる手動操作手段８ａ、あるいは、カメラのシャッターを押すためにもまた他の操作にも使用することができる操作手段８ｂをも備えている。また、機器には、例えば筺体部分の端部に配置された他のキー、例えばオン／オフスイッチまたはスピーカー９の音量調節キー等を備えることができる。
【００１９】
キーボード８の主要方位とディスプレー上の情報の主要方位とは、それらが同じ方位となるように、かつ、機器１を手の中で縦の回転軸１１の周りに回転した際、キーボード８およびディスプレー４上の情報が共に好ましくは正常な方位にあり、例えば、回転後にディスプレー４上の情報が逆さまになっていないように選定する。このようにすれば、カメラ７をキーボードと同じ方向に固定的に向けることができ、使用者がその都度カメラ７の方向を操作する必要がなくなる。もう１つの要件は、機器１の閉じた位置においては、ディスプレー４およびキーボード８が外側の壁面に装着されること、換言すれば正面壁２ａ、３ａに設けられることである。
【００２０】
主要方位という概念は、情報またはキーボードのデフォルトとして設定されている方位、あるいは、標準的な操作位置または機器の標準的な使用目的における操作位置において主として利用する情報またはキーボードの方位のことを言っている。図１−４に基づく機器の標準的な操作位置においては、ヒンジ手段５が機器の上端に位置している（図１および２）か、あるいはディスプレー４がキーボード８の上方に位置している（図３および４）かである。電話機能を使用する場合は、ディスプレー４の主要方位１０は、例えばキーボード８の主要方位１２と同様になっている。そのため、機器１を手の中で回転する必要がなくなり、ディスプレー４およびもう一方ではキーボード８が使い易くなる。方位の変更は、使用者の操作の下で、選択に従って、例えばキーを押して実行することができるが、これは、主として特殊な状況に該当し、機器の製造者が意図した第一義的な操作位置および主要方位以外の操作位置に相当する。
【００２１】
上端部にカメラを配置すると、機器１を保持する手がカメラ７の前に置かれることは滅多にないので、上端部はカメラを配置する場所としては良い選択である。カメラ手段７は機器１に組み込まれる。カメラ７は、好ましくは、ヒンジ５に、しかも筺体部分３に関して回転しないあるいは動くことのないようなヒンジ５の部分に取り付けられる。このようにすると、カメラ７も正しい方向に固定的に向けることができる。正しい方向は、ディスプレー４の使用目的によって変化する。カメラ７は、例えばキーボード８の上部に配置することもできるが、ヒンジ５の構造は、ここでは図２に従って、機器の操作位置が開いた状態にあっても閉じた位置にあっても、筺体部分３がカメラ７との関係において回転しないような構造になっている。ヒンジは、筺体部分３の側面から延びる２個の突起部を備えており、その間に、筺体部分２の側面から延びる１個の突起部がある。カメラ７は、好ましくは、筺体部分２の突起部に装着されるべきである。
【００２２】
開いた操作位置においては、機器１は電話として機能し、ディスプレー４およびキーボード８は使用者の方を向いている。筺体部分２、３は、互いに隣り合った位置に、好ましくは平行に配置される。ヒンジ５によって、筺体部分２、３間の角度を適当な値に制限することができるし、あるいは、正面壁が互いに向き合う位置状態として、それを携帯時の位置状態とすることすら可能である。この場合は、ディスプレー４およびキーボード８が保護され、同時に誤操作を防ぐことができる。ヒンジ５によって、筺体部分２、３の希望する中間位置をセットすることも可能であり、この場合は、機器１を、ディスプレー４が使用者の方を向いて僅かに折り畳まれているように、例えばテーブルの上に置くことができる。同時に、カメラ７を動かして、使用者の方に向けることができることも有利である。もちろん機器１には、背面壁２ｂに折り畳み可能な支持脚または支持手段を装備することができる。この場合は、固定されたカメラ７は使用者の方向により良い形で向けられる。
【００２３】
情報の方位とは、特に読みやすさおよび画像を見る行為を考えると、例えば、最も普通の操作位置におけるテキストの位置のことを言う。方位の変更は、結局のところ、例えばすでにディスプレー４に表示されているテキストまたは画像の情報を１８０度（１８０°）回転するか、あるいは、例えば新しいテキストまたは新しい画像の探索を始める際に、機器１の操作位置に応じてそれらの方位が選択される、ということになる。機器１の操作位置は、その操作位置が要求する手引きおよびメニューを直ちに表示し得るように、例えば機器のスイッチを入れた時に決定されなければならない。
【００２４】
図２および３の電話モードにおいては、キーボード８の方位１２ならびにディスプレー４上の情報の主要方位は、方位が同じであるように選択された標準操作位置にあり、キーボード８およびディスプレー４上の情報が共に好ましくは正常な方位となるような、すなわち例えば、開いた後ディスプレー４上の情報が逆さまにならないようなものになっている。ディスプレー４を制御する制御手段は、ディスプレーを図４の状態に開くと、ディスプレー上に表示される情報の主要方位１０が、図１の操作位置に比べて１８０度（１８０°）回転された結果となるように構成される。この場合も、固定されたカメラ７はキーボード８と同じ方向すなわち使用者の方を向いており、従って使用者がカメラ７をその都度向け直す必要はない。カメラ７はすでに使用者の方を向いており、ビデオ通話に対する準備ができているのである。
【００２５】
以上に開示したディスプレー４の主要方位１０の変更動作の構成、および以上に開示したディスプレー４およびキーボード８の配置によって得られる利点は、カメラ７を固定された方向に向けることができるという点である。もちろん、カメラ７の可動化は可能であり、従来技術に従ってカメラを向けなおすことも可能である。従来技術においては、カメラ７が特に回転軸６の周りに回転されるが、その回転軸６は、ヒンジ５の回転軸に平行であるか、あるいはそれと平行ではなくある点で交差さえする軸である。しかし、可動性は構造を一層複雑にして故障に敏感なものとし、使用者が機器をすぐに使いたいと思う時に、カメラが間違った方向に向けられる可能性を孕んでいる。
【００２６】
機器１の操作位置は、好ましくは、ヒンジ５内に置かれたセンサー手段によって決定される。そのセンサー手段は、操作位置を機器１の制御システムに指示するが、その制御システムは、ディスプレー４の制御および同時にそれに含まれる情報の方位をも管理する。ヒンジ５のさらに詳細な構造、センサー手段、ディスプレー４およびキーボード８のさらに詳細な構造および機能、ならびに機器１の制御システムは、従来技術に合致するもので差し支えなく、従って、ここではさらなる詳細については記述しない。ディスプレー４の制御および制御システムを上記に述べた機能用に変更する作業は、この明細書に提示する情報の基礎に関する技術に精通する当業者にとっては明白である。センサー手段を機器１の筺体部分の適切な位置に配置することは可能であり、その場合のセンサー手段は、例えば、第２の筺体部分が近傍に存在するかどうかを検知するが、それによって、機器の操作位置を決定することが可能となり、当該センサーによって方位を制御できるようになる。さらに同じセンサー手段または別のセンサー手段によって、機器が使用者の耳の上かその近くに置かれるとそれを検知することが可能であり、その場合は、使用者がディスプレー４を見ることはできないので、あるいは電力節約のために、ディスプレーの電源を切断することができる。
【００２７】
閉じた操作位置および開いた操作位置の主要方位１０は、開いた状態において筺体部分２および３が互いに隣り合う位置となるように意図された場合には、９０度（９０°）変化する。しかし、カメラモードにおいては、操作位置は図１の状態と合致している。従って、キーボード８は時計回りか反時計回りに９０度回転した。
【００２８】
ある実施の形態においては、機器１の正面壁２ａ、３ａは互いに向き合う位置となるが、背面壁２ｂ，３ｂが互いに向き合う位置となる必要はない。この場合は、この機器を開くと、ヒンジ５は機器１の中央に水平に位置することになる。キーボード８およびディスプレー４の主要方位は、機器１を開いた場合の、ヒンジ５の回転軸６に合致する。方位を変更する必要はない。この場合、カメラは正面壁３ａ上のディスプレー４に隣接して配置され、使用者の方に、つまりディスプレー４と同じ方向に向けられる。筺体部分２には、正面壁２ａ、３ａが互いに向き合う位置となった場合に、筺体部分２がカメラ７をカバーしてしまわないように、カメラ７の位置に、開口、ノッチまたは他の形状の切欠部が設けられた。また他方、筺体部分２がカメラ７の上に拡がらないように、筺体部分２の長さを、筺体部分３よりも短くすることもできる。さらに、ファインダーも背面壁３ｂに設けられるが、このファインダーは例えば光学的なもので、筺体部分３を貫通しており、筺体部分２が同様にこのファインダーの前に来ないようにしなければならない。カメラ機能を使用する場合は、機器１はきわめてコンパクトになり、カメラに似たものとなる。カメラのシャッターボタンは、筺体部分３の上部に、例えば、従来型のカメラのシャッターボタンの位置と同じような位置に設けることができる。
【００２９】
本発明は、上記に提示した僅かの実施例のみに限定されるものではなく、付属の請求項に従って改変できる。
【図面の簡単な説明】
【００３０】
【図１】本発明の実施例に基づく、閉じた操作位置の電子機器を示しており、外側壁の側から見た図面である。
【図２】閉じた操作位置における図１の電子機器を示しており、反対の外側壁側から見た図面である。
【図３】開いた操作位置における図１の電子機器を示しており、両方の外側壁側から見た図面である。
【図４】開いた操作位置における図１の電子機器を示しており、両方の内側壁側から見た図面である。
【図１】
2005523607.tif 000003
【図２】
2005523607.tif 000004
【図３】
2005523607.tif 000005
【図４】
2005523607.tif 000006
【国際調査報告】
2005523607.tif 000007
2005523607.tif 000008
2005523607.tif 000009